(57)【特許請求の範囲】
【請求項１】
ダイオキシン類及び塩化水素を含む焼却炉排ガスに、煙道にて炭酸水素ナトリウム及び／又は炭酸水素カリウムを添加して集塵機で集塵し、
得られた集塵灰をダイオキシン類分解剤と共に加熱装置で加熱し、
該加熱装置の排ガスは、保温又は加温された排ガス配管により、焼却炉又は集塵機の上流側の煙道に戻すことを特徴とするダイオキシン類の分解方法。
【請求項２】
ダイオキシン類及び塩化水素を含む焼却炉排ガスに、煙道にて炭酸水素ナトリウム及び／又は炭酸水素カリウムを添加して集塵機で集塵し、
得られた集塵灰をダイオキシン類分解剤と共に加熱装置で加熱し、
該加熱装置の排ガスは、保温又は加温された排ガス配管により、スクラバーに送給し、
該スクラバーの処理ガスを、焼却炉又は集塵機よりも上流側の煙道に戻すことを特徴とするダイオキシン類の分解方法。
【請求項３】
ダイオキシン類及び塩化水素を含む焼却炉排ガスに、煙道にて炭酸水素ナトリウム及び／又は炭酸水素カリウムを添加して集塵機で集塵し、
得られた集塵灰をダイオキシン類分解剤と共に加熱装置で加熱し、
該加熱装置の排ガスは、保温又は加温された排ガス配管により、燃焼装置に送給して排ガス中のダイオキシン類分解剤及び熱変性物を燃焼させ、
該燃焼装置の排ガスは、焼却炉又は集塵機よりも上流側の煙道に戻すことを特徴とするダイオキシン類の分解方法。
【請求項４】
請求項１ないし３のいずれか１項において、得られた集塵灰をダイオキシン類分解剤及び無機重金属固定化剤と共に加熱することを特徴とするダイオキシン類の分解方法。
【請求項５】
請求項１ないし４のいずれか１項において、ダイオキシン類分解剤がアミン化合物、及び／又は水酸基を含有する有機化合物であることを特徴とするダイオキシン類の分解方法。
【発明の詳細な説明】
【０００１】
【発明の属する技術分野】
本発明は、ダイオキシン類及び塩化水素を含む焼却炉排ガス等から塩化水素を除去した後、ダイオキシン類を効率的に除去する方法に関する。
【０００２】
【従来の技術】
一般に、ごみ焼却炉から排出される排ガスは、ボイラ、ガス冷却塔を経た後、消石灰、生石灰等のカルシウム系塩化水素除去剤が噴霧され、その後バグフィルタ等の集塵機で除塵された後、煙突から大気に放出される。この集塵機から排出される集塵灰（飛灰）は、有害なポリクロロジベンゾダイオキシン類、ポリクロロジベンゾフラン類及びコプラナーＰＣＢ等のダイオキシン類を含有しているため、飛灰にダイオキシン類分解剤を添加して加熱装置で加熱することにより、含有されるダイオキシン類を分解除去することが行われている。このダイオキシン類分解剤としては、本出願人よりアミン化合物等のダイオキシン類分解剤が提案されている。
【０００３】
【発明が解決しようとする課題】
排ガス中の塩化水素を消石灰、生石灰等のカルシウム系塩化水素除去剤で処理している焼却施設から排出される飛灰中には、消石灰等のカルシウム系アルカリ剤と塩化水素との反応生成物である塩化カルシウムが含有されている。しかし、飛灰中の塩化カルシウムは、アミン化合物等のダイオキシン類分解剤を固定し、飛灰内部への拡散を阻害するため、塩化カルシウムを含む飛灰にダイオキシン類分解剤を添加して加熱を行っても、十分なダイオキシン類の分解効率が得られないという不具合があった。
【０００４】
本発明は上記従来の問題点を解決し、ダイオキシン類及び塩化水素を含む焼却炉排ガス等から、ダイオキシン類の阻害因子となる塩化カルシウムを生成させることなく塩化水素を除去し、これによりダイオキシン類分解剤を有効に作用させてダイオキシン類を効率的に加熱分解除去する方法を提供することを目的とする。
【０００５】
【課題を解決するための手段】
請求項１のダイオキシン類の分解方法は、ダイオキシン類及び塩化水素を含む焼却炉排ガスに、煙道にて炭酸水素ナトリウム及び／又は炭酸水素カリウムを添加して集塵機で集塵し、得られた集塵灰をダイオキシン類分解剤と共に加熱装置で加熱し、該加熱装置の排ガスは、保温又は加温された排ガス配管により、焼却炉又は集塵機の上流側の煙道に戻すことを特徴とする。
【０００６】
請求項２のダイオキシン類の分解方法は、ダイオキシン類及び塩化水素を含む焼却炉排ガスに、煙道にて炭酸水素ナトリウム及び／又は炭酸水素カリウムを添加して集塵機で集塵し、得られた集塵灰をダイオキシン類分解剤と共に加熱装置で加熱し、該加熱装置の排ガスは、保温又は加温された排ガス配管により、スクラバーに送給し、該スクラバーの処理ガスを、焼却炉又は集塵機よりも上流側の煙道に戻すことを特徴とする。
【０００７】
請求項３のダイオキシン類の分解方法は、ダイオキシン類及び塩化水素を含む焼却炉排ガスに、煙道にて炭酸水素ナトリウム及び／又は炭酸水素カリウムを添加して集塵機で集塵し、得られた集塵灰をダイオキシン類分解剤と共に加熱装置で加熱し、該加熱装置の排ガスは、保温又は加温された排ガス配管により、燃焼装置に送給して排ガス中のダイオキシン類分解剤及び熱変性物を燃焼させ、該燃焼装置の排ガスは、焼却炉又は集塵機よりも上流側の煙道に戻すことを特徴とする。
【０００８】
この方法では、塩化水素除去剤として消石灰等のカルシウム系アルカリ剤に代えて炭酸水素ナトリウム及び／又は炭酸水素カリウムを用いる。炭酸水素ナトリウム及び／又は炭酸水素カリウムと塩化水素との反応で生成する塩化ナトリウムや塩化カリウムは、塩化カルシウムのようにアミン化合物等のダイオキシン類分解剤を固定することはない。従って、得られた集塵灰をダイオキシン類分解剤と共に加熱することにより、ダイオキシン類分解剤は集塵灰中に十分に拡散し、含有されるダイオキシン類を効率的に分解除去することができる。
【０００９】
本発明において、ダイオキシン類分解剤としてはアミン化合物や水酸基を含有する化合物が挙げられるが、何らこれに限定されるものではない。
【００１０】
【発明の実施の形態】
以下に本発明のダイオキシン類の分解方法の実施の形態を詳細に説明する。
【００１１】
なお、以下においては、本発明の方法を焼却炉の排ガス又は焼却灰（飛灰）に適用した場合を例示するが、本発明は何らこれらに限定されるものではなく、本発明の方法はダイオキシン類及び塩化水素を含む排ガスであれば、焼却炉排ガス以外の排ガスにも適用可能である。
【００１２】
本発明のダイオキシン類の分解方法においては、塩化水素除去剤として消石灰等の従来のカルシウム系アルカリ剤に代えて炭酸水素ナトリウム及び／又は炭酸水素カリウムを排ガスに添加する。
【００１３】
炭酸水素ナトリウムは飽和水溶液のｐＨが９〜１０の適度なアルカリ性であるため、飛灰に含まれる重金属の溶出防止に有利である。特に、ダイオキシン類分解剤と同時に重金属固定化剤を混合して加熱する場合、キレート系重金属固定化剤より耐熱性の高い無機重金属固定化剤が好ましく、この炭酸水素ナトリウムの飽和水溶液のｐＨ範囲は、無機重金属固定化剤が有効に作用するｐＨ範囲にも一致する点で好ましい。塩化水素除去剤として消石灰を用いた場合には、ｐＨが高いために重金属が溶出しやすく、重金属固定化剤を大量に必要とするという不具合があったが、炭酸水素ナトリウムや炭酸水素カリウムであれば、この問題も解消できる。
【００１４】
炭酸水素ナトリウム及び／又は炭酸水素カリウムは、通常、集塵機の手前でその必要量が噴霧される。炭酸水素ナトリウム及び／又は炭酸水素カリウムの添加量は、通常、排ガスに対して５０〜５０００ｍｇ／Ｎｍ３程度である。
【００１５】
本発明の方法は、このようにして消石灰等の従来のカルシウム系塩化水素除去剤に代えて炭酸水素ナトリウム及び／又は炭酸水素カリウムを排ガスに添加すること以外は従来の排ガスと同様に実施することができ、集塵機で集塵された飛灰に常法に従ってダイオキシン類分解剤を添加して加熱すれば良い。
【００１６】
本発明において使用されるダイオキシン類分解剤としては、次のようなものを例示することができるが、何らこれらに限定されるものではない。
【００１７】
［アミン化合物］
モノエタノールアミン、ジエタノールアミン、トリエタノールアミン、アミノメチルプロパノール等のアルカノールアミン；ジエチルアミン、プロピルアミン、エチレンジアミン等の低級アルキル置換アミン；アニリン等の環式アミン等のアミン化合物
【００１８】
［アンモニア又はアンモニウム化合物］
アンモニア；尿素；重炭酸アンモニウム、炭酸アンモニウム、水酸化アンモニウム、酢酸アンモニウム、硫酸アンモニウム、リン酸アンモニウム、リン酸水素アンモニウム等のアンモニウム塩等のアンモニウム化合物
【００１９】
［ヒドロキシル基を有する有機化合物］
メタノール、エタノール等のアルコール
エチレングリコール、プロピレングリコール、ブタンジオール、ジエチレングリコール、トリエチレングリコール、ネオペンチルグリコール、イソプレングリコール、グリセリン、ジグリセリン、ポリエチレングリコール、ポリプロピレングリコール、ポリビニルアルコール等の多価アルコール
フェノール等のフェノール系化合物
クエン酸、リンゴ酸、酒石酸、グルコン酸、乳酸、サリチル酸等のヒドロキシル基とカルボキシル基を有する化合物
スクロース、グルコース、フルクトース等の糖類やでん粉等の炭水化物
【００２０】
［カルボキシル基を有する有機化合物］
ギ酸、酪酸、プロピオン酸、アクリル酸、メタクリル酸、ステアリン酸等のカルボン酸、シュウ酸、マロン酸、フマル酸、アジピン酸、コハク酸、マレイン酸等の多価カルボン酸
【００２１】
［ポリエーテル、ポリエステル化合物］
ポリエチレンオキシド、ポリビニルアセタール、ポリビニルホルマール、ポリビニルブチラール、ポリエチレンテレフタレート、ポリエチレンナフタレート、ポリブチレンテレフタレート等のポリエーテル化合物やポリエステル化合物
【００２２】
［アルデヒド類］
ホルムアルデヒド、アセトアルデヒド、ブチルアルデヒド、フェニルアセトアルデヒド等のアルデヒド系化合物
【００２３】
［その他］
フェノール系化合物とアルデヒド系化合物の縮合物、酪酸エチル、酪酸メチル等のカルボン酸エステル
グルタミン酸、グルタミン、グルタチオン、グリシルグリシン、アラニン、アミノ酪酸、アミノカプロン酸、アルギニン、アスパラギン酸、アスパラギン、シトルリン、トリプトファン、スレオニシン、グリシン、シスチン、システイン、ヒスチジン、ヒドロキシプロリン、イソロイシン、ロイシン、リジン、メチオニン、オルチニン、フェニルアラニン、フェニルグリシン、プロリン、セリン、チロシン、バリン等のアミノ酸；ポリアミノ酸（上記アミン酸の重合体で分子量に特に制限はない）；アミノ酸塩（上記アミノ酸のナトリウム塩、カリウム塩、塩酸塩等）
【００２４】
［ポリアミン類］
ポリ（メタ）アリルアミン、ポリビニルアミン、アルキレンジアミン−アルキレンジクロライド縮合物、アルキレンジアミン−エピクロルヒドリン縮合物、ポリＮ−アルキルアミノアルキル（メタ）アクリルアミド、ポリビニルベンジルアルキルアミン、キトサン等のポリアミン；ポリアルキレンイミン等のポリイミン；ポリビニルイミダゾリン、ポリビニルイミダゾール、ポリビニルピリジン等の環状窒素化合物等のポリアミン類
グアニジン、アミノグアニジン、グアニル尿素及びこれらの酸塩（炭酸塩、塩酸塩、硫酸塩、硝酸塩、リン酸塩、酢酸塩、プロピオン酸塩等）等のアミジン系化合物
【００２５】
本発明はこれらのダイオキシン類分解剤のうちで、特にアミン化合物又は多価アルコールを用いた場合にダイオキシン類分解率向上効果を発揮する。
【００２６】
これらのダイオキシン類分解剤は１種を単独で用いても良く２種以上を組み合わせて用いても良い。また、その形態には特に制限はなく、粉末、液体、水溶液のいずれであっても良い。
【００２７】
飛灰に対するダイオキシン類分解剤の添加量は、飛灰中のダイオキシン類含有量に応じて適宜決定されるが、通常の場合、飛灰に対して有効成分量として０．１重量％以上、特に２〜１０重量％程度とするのが好ましい。
【００２８】
飛灰をダイオキシン類分解剤と共に加熱するには、適当な加熱装置を用い、飛灰とダイオキシン類分解剤とを投入すれば良い。この加熱装置では、窒素又は空気流通下で加熱を行っても良く、また、このような調整を行わなくても良い。加熱装置での加温温度は、装置内の雰囲気調整の有無、その他の条件によっても異なるが、１００℃以上、好ましくは２００℃以上に加熱するのが良い。加熱温度の上限は特にないが、過度に高温加熱することは、コスト面、設備面で不利であることから４００℃以下とすることが好ましい。加熱時間は加熱温度や処理量によっても異なるが、３分以上であれば良く、通常５〜６０分程度である。
【００２９】
ダイオキシン類分解剤の添加箇所は、飛灰の加熱する前もしくは加熱時であれば良く、具体的には集塵機前段の煙道、集塵後加熱装置に搬送される搬送機器類、加熱装置の前段のホッパー又は混合機、或いは加熱装置等が挙げられる。加熱装置の前段に適当な混合機を設け、飛灰とダイオキシン類分解剤を加熱前に十分に混合しておくことにより、飛灰中へのダイオキシン類分解剤の拡散を促進させることができ、好ましい。
【００３０】
なお、飛灰のダイオキシン類処理に当っては、前述の如く、重金属固定化剤も添加し、ダイオキシン類の処理と共に重金属の固定化処理も行っても良い。また、ダイオキシン類の処理後に重金属固定化剤を添加して重金属の固定化処理を行っても良い。
【００３１】
重金属固定化剤の添加量は用いる薬剤の種類や処理するアルカリ成分含有飛灰の性状により異なるが、通常の場合、飛灰に対して有効成分量として０．１〜５０重量％、特に１〜２０重量％とするのが好ましい。
【００３２】
無機系重金属固定化剤としては、例えば次のようなものが例示できる。
【００３３】
正リン酸（オルソリン酸）、ポリリン酸、メタリン酸、次リン酸、亜リン酸、次亜リン酸、ピロリン酸、過リン酸、第一リン酸ソーダ、第二リン酸ソーダ、第三リン酸ソーダ、第一リン酸カリウム、第二リン酸カリウム、第三リン酸カリウム、第一リン酸カルシウム、第二リン酸カルシウム、第一リン酸マグネシウム、第二リン酸マグネシウム、第一リン酸アンモニウム、第二リン酸アンモニウム、過燐酸石灰、トリポリリン酸ナトリウム、トリポリリン酸カリウム、ヘキサメタリン酸ナトリウム、ヘキサメタリン酸カリウム、ピロリン酸ナトリウム、ピロリン酸カリウム、亜リン酸ナトリウム、亜リン酸カリウム、次亜リン酸ナトリウム、次亜リン酸カリウム等のリン酸化合物。
【００３４】
焼き石膏、ポルトランドセメント、早強セメント、ジェットセメント、高炉セメント、アルミナセメント等のセメント類。
【００３５】
各種活性白土、合成珪酸、天然珪酸加工物等の無機吸着剤。
【００３６】
汎用の珪酸ソーダ、珪酸カリウム等の水溶性珪酸塩等の水ガラス。
【００３７】
これらのうち、特にリン酸化合物が重金属を長期に安定に固定化できるので好ましい。
【００３８】
ところで、飛灰にアミン化合物等の有機化合物からなるダイオキシン類分解剤を添加して加熱した場合、加熱装置からは、高濃度のガス化したダイオキシン類分解剤及びその熱変性物が排出されるため、排ガス対策が必要である。また、これらのダイオキシン類分解剤及びその熱変性物は、排ガスの温度低下と共に配管内で凝縮し、この凝縮液に飛散飛灰が付着して配管が閉塞するという問題もある。更に、この飛散飛灰を一般的に用いられるバグフィルタで捕集しようとすると、前記凝縮物が濾布に付着して濾布を閉塞させることもある。この場合濾布の耐熱温度は２５０℃程度であるため、ガスを昇温することにより、ダイオキシン類分解剤及びその熱変性物の凝縮を防止することはできず、このため、濾布の閉塞を回避し得ないことから、バグフィルタの使用が不可能となる。
【００３９】
従って、このような加熱装置の排ガス中のダイオキシン類分解剤及びその熱変性物の凝縮による問題を解決するために、次のような対策を講じる。
(1)  加熱装置からの排ガス配管を、ダイオキシン類分解剤及びその熱変性物の凝縮温度以上に保温もしくは加温して、排ガスを焼却炉に排出し、ダイオキシン類分解剤及びその熱変性物を燃焼させる。或いは、排ガス配管を同様に保温若しくは加温し、排ガスを大量の燃焼排ガスが流れる煙道に排出することにより、ダイオキシン類分解剤及びその熱変性物の存在が問題とならない低濃度に希釈する。この際、集塵機前段に戻すことにより、これらは飛灰に吸着除去され、より好ましい。
(2)  加熱装置からの排ガス中のダイオキシン類分解剤及びその熱変性物をスクラバーで除去する。加熱装置とスクラバーとの間の排ガス配管は、ダイオキシン類分解剤及びその熱変性物の凝縮が起きない温度に保温もしくは加温する。
(3)  加熱装置からの排ガス中のダイオキシン類分解剤及びその熱変性物をガスバーナー等の燃焼装置で燃焼させて低分子化させることにより凝縮温度を下げ、燃焼後の排ガスを焼却炉、煙道等に排出する。加熱装置と燃焼装置との間の排ガス配管は、ダイオキシン類分解剤及びその熱変性物の凝縮が起きない温度に保温もしくは加温する。
【００４０】
以下に、本発明の方法において、上記(1)〜(3)の凝縮防止対策を講じた場合の具体例を図面を参照して説明する。
【００４１】
図１〜３において、ごみ焼却炉１からの燃焼排ガスはガス冷却塔２で冷却された後、集塵機３入口の煙道で塩化水素除去剤等が排ガス処理剤添加装置４より添加された後、集塵機３で除塵され、処理ガスは煙突５から大気へ放出される。集塵機３で集塵された飛灰は、ダイオキシン類分解剤添加装置６でダイオキシン類分解剤が添加され、加熱装置７で加熱され、含有されるダイオキシン類が分解除去される。
【００４２】
本発明においては、前述の如く、このような排ガス処理において、塩化水素除去剤として炭酸水素ナトリウム及び／又は炭酸水素カリウムを添加する。
【００４３】
加熱装置７でダイオキシン類除去剤と共に加熱された飛灰は、次いで冷却コンベア等の灰冷却装置８で冷却された後、混練機９にて重金属固定化剤と水が添加混練され、重金属の固定化処理が行われる。
【００４４】
このようにしてダイオキシン類及び重金属の処理がなされた飛灰は灰バンカ１０に排出される。
【００４５】
図１では、加熱装置からの排ガスの排出配管２０を、排ガス中のダイオキシン類分解剤及びその熱変性物の凝縮温度以上に保温又は加温し、排ガス中のダイオキシン類分解剤及びその熱変性物の凝縮を防止した状態で、この排ガスをごみ焼却炉１に送給してごみと共に燃焼させる。この保温又は加温排ガス配管２０の温度は用いたダイオキシン類除去剤の種類にもよるが、２５０℃以上とすることが好ましい。この配管２０の加温には、加熱空気を送風しても良い。なお、前述の如く、加熱装置７の排ガスは、保温又は加温排ガス配管により、集塵機３の上流側の煙道に戻して希釈しても良い。
【００４６】
図２では、加熱装置７の排ガスを保温又は加温排ガス配管２１でスクラバー１１に送給し、排ガス中のダイオキシン類分解剤及びその熱変性物を除去する。スクラバー１１の処理ガスはごみ焼却炉１又は集塵機３よりも上流側の煙道に戻す。
【００４７】
図３では、加熱装置７の排ガスを保温又は加温排ガス配管２２で燃焼装置１３に送給して排ガス中のダイオキシン類分解剤及び熱変性物を燃焼させることにより、低分子化させる。これにより、凝縮温度を下げることができ、水の凝縮と同様の凝縮対策で対応することができるようになる。この燃焼装置１３の排ガスは集塵機３よりも上流側の煙道又はごみ焼却炉１に戻す。
【００４８】
なお、スクラバー１１や燃焼装置１３でダイオキシン類分解剤及びその熱変性物の処理を行っても水分による凝縮の問題が残る。従って、必要に応じて排ガス配管を水分の凝縮が起きない温度に保温もしくは加温したり、加熱空気を送風することにより、水の凝縮を防止するようにしても良い。また、ダイオキシン類分解剤及びその熱変性物の処理により、水等の凝縮回避温度が低下し、バグフィルタの使用も可能となるため、必要に応じてバグフィルタ、ミストセパレータ、コンデンサ等を組み込んでも良い。
【００４９】
いずれの型式においても、加熱装置からの排ガス配管を焼却炉や煙道と連結する際には、これらの設備が負圧であるため、加熱装置内に不安定に空気が流入して、飛灰の昇温やダイオキシン類の分解が阻害されることがないように、ダンパーを取り付けたり、圧力の制御手段を設けたりすることが好ましい。
【００５０】
図２において、スクラバー１１で発生する排水やミストセパレータやコンデンサを用いたときの凝縮水は、焼却施設内において、重金属固定化処理のための加湿水、焼却灰ガスを冷却するための噴霧水、飛灰を冷却するための冷却水等として用いたり、焼却炉に排出して燃焼させるのが有効な方法である。これらの排水を焼却施設外で処理する場合には、別途排水処理を行う必要がある。
【００５１】
【実施例】
以下に実験例、及び比較実験例を挙げて本発明をより具体的に説明する。
【００５２】
実験例１〜３
アルカリ剤と排ガス中の塩化水素とから生成する塩化物がダイオキシン類分解剤を固定する作用について試験した。
【００５３】
ガラスカラムに表１に示す塩化物を３ｇ充填し、上下をガラスウールで固定した。カラム内の塩化物充填層の上部に表１に示すダイオキシン類分解剤２００ｍｇを添加し、カラムの上部から１５ｍｌ／ｍｉｎで空気を通気しながら表１に示す各温度で加熱した。塩化物充填層を通過したダイオキシン類分解剤をカラム下部で捕集し、この通過量から通過率を算出し、結果を表１に示した。
【００５４】
【表１】
0003975782.tif 000002
【００５５】
表１より、消石灰等のカルシウム系アルカリ剤を塩化水素含有ガスに添加したときに生じる塩化カルシウム（ＣａＣｌ２）はダイオキシン類分解剤を固定するが、ナトリウム、カリウムを含むアルカリ剤により生じる塩化ナトリウム（ＮａＣｌ）、塩化カリウム（ＫＣｌ）はダイオキシン類分解剤を固定することは殆どなく、ダイオキシン類分解剤の阻害因子とはならないことがわかる。
【００５６】
実験例４〜７
焼却炉排ガスに炭酸水素ナトリウム１０００ｍｇ／Ｎｍ３を噴霧して塩化水素を除去し、集塵機で集塵された飛灰（炭酸水素ナトリウム噴霧飛灰）に、表２に示すダイオキシン類分解剤５重量％を事前にすり鉢で練り込み、その後、表２に示す温度に加熱した三口フラスコに投入し、所定温度に到達後１０分間撹拌した。この時、フラスコの開放部には冷却管を取り付け、ダイオキシン類分解剤のフラスコ外への拡散を防止した。その後、得られた処理灰のダイオキシン類濃度（毒性等量）を測定し、結果を表２に示した。また、処理前の炭酸水素ナトリウム噴霧飛灰のダイオキシン類濃度（毒性等量）１．４ｎｇ−ＴＥＱ／ｇに対するダイオキシン類分解率を算出し、結果を表２に示した。
【００５７】
【表２】
0003975782.tif 000003
【００５８】
比較実験例１〜４
実験例４〜７において、炭酸水素ナトリウムの代りに消石灰を用いたこと以外は同様にして得られた飛灰（消石灰噴霧飛灰１）について、実験例４〜７と同様にしてダイオキシン類の分解処理を行い、得られた処理灰のダイオキシン類濃度（毒性等量）を測定し、結果を表３に示した。また、処理前の消石灰噴霧飛灰１のダイオキシン類濃度（毒性等量）５．２ｎｇ−ＴＥＱ／ｇに対するダイオキシン類分解率を算出し、結果を表３に示した。
【００５９】
【表３】
0003975782.tif 000004
【００６０】
表２及び表３より、消石灰噴霧飛灰では、ダイオキシン類分解剤による効果を十分に得ることができないが、炭酸水素ナトリウム噴霧飛灰であれば、高いダイオキシン類処理効果を得ることができることがわかる。
【００６１】
【発明の効果】
以上詳述した通り、本発明によれば、飛灰等のダイオキシン類含有物質に対してダイオキシン類分解剤を有効に作用させて、ダイオキシン類を効率的に加熱分解除去することができる。即ち、本発明のダイオキシン類の分解方法によれば、塩化水素除去剤として消石灰等のカルシウム系アルカリ剤に代えて炭酸水素ナトリウム及び／又は炭酸水素カリウムを用いることにより、ダイオキシン類の阻害因子となる塩化カルシウムを生成させることなく、塩化水素を処理することができるため、得られた集塵灰をダイオキシン類分解剤と共に加熱することにより、ダイオキシン類分解剤を有効に作用させて、含有されるダイオキシン類を効率的に分解除去することができる。
【図面の簡単な説明】
【図１】  本発明のダイオキシン類の分解方法の実施の形態を示す系統図である。
【図２】  本発明のダイオキシン類の分解方法の他の実施の形態を示す系統図である。
【図３】  本発明のダイオキシン類の分解方法の別の実施の形態を示す系統図である。
【符号の説明】
１  ごみ焼却炉
２  ガス冷却塔
３  集塵機
４  排ガス処理剤添加装置
５  煙突
６  ダイオキシン類分解剤添加装置
７  加熱装置
８  灰冷却装置
９  混練機
１０  灰バンカ
１１  スクラバー
１３  燃焼装置
２０，２１，２２  保温又は加温排ガス配管
【図１】
0003975782.tif 000005
【図２】
0003975782.tif 000006
【図３】
0003975782.tif 000007